(57)【要約】【課題】  液晶表示装置での待機画面での消費電力を低減する。【解決手段】  液晶表示装置が待機画面のときにＣＰＵから省電力信号が入力され、２値モード、パーシャルモードを判定する。２値モードのときには、通常表示モードのドット反転駆動に対しＶライン反転駆動とし、省電力化を図る。パーシャルモードのときには、２値モードでなければ表示領域をドット反転駆動し非表示領域はＶライン反転駆動するが、２値モードの場合には表示領域と非表示領域を異なる周波数でＶライン反転駆動する。【選択図】  図１２
2006039337.tif 000002
【特許請求の範囲】
【請求項１】
複数の走査線と複数のデータ線の各交点に画素を配置した液晶表示装置であって、通常表示モードとは異なるモード時に入力される省電力信号に対応して駆動方式または駆動周波数の少なくとも１つを変える手段を備えることを特徴とする液晶表示装置。
【請求項２】
前記省電力信号は２値モードの信号であり、前記２値モードではｎビットのデジタル画像信号の最上位ビットに対応した２値の電圧から１つの電圧を選択して第１の駆動方式で前記データ線を駆動し、通常表示モードではｎビットのデジタル画像信号の全ビットに対応した２のｎ乗値の電圧から１つの電圧を選択して第２の駆動方式で前記データ線を駆動することを特徴とする請求項１に記載の液晶表示装置。
【請求項３】
前記省電力信号はパーシャルモードの信号であり、前記パーシャルモードでは、パーシャル非表示領域では画像オフ電圧で第１の駆動方式で前記データ線を駆動し、パーシャル表示領域では２値モードのときに第１の駆動方式で前記データ線を駆動し、２値モードではないときにデジタル画像信号のｎビットに対応した２のｎ乗値の電圧から１つの電圧を選択して第２の駆動方式で前記データ線を駆動することを特徴とする請求項１に記載の液晶表示装置。
【請求項４】
前記第１の駆動方式はＶライン反転駆動方式で、前記第２の駆動方式はドット反転駆動方式であることを特徴とする請求項２又は３に記載の液晶表示装置。
【請求項５】
前記第１の駆動方式はＶライン反転駆動方式で、前記第２の駆動方式はドット反転駆動方式であり、前記第１の駆動方式のフレーム周波数を前記第２の駆動方式のフレーム周波数よりも低く設定することを特徴とする請求項２に記載の液晶表示装置。
【請求項６】
前記第１の駆動方式はフレーム反転駆動方式で、前記第２の駆動方式はＨライン反転駆動方式であることを特徴とする請求項２または３に記載の液晶表示装置。
【請求項７】
前記省電力信号は、携帯電話機等の携帯型電子機器のＣＰＵから入力されることを特徴とする請求項１ないし６のいずれかに記載の液晶表示装置。
【請求項８】
複数の走査線と複数のデータ線の各交点に画素を配置した液晶表示装置の駆動回路であって、最小印加電圧と最大印加電圧との間をガンマ特性に適合するように分圧して複数の階調電圧を生成するガンマ生成回路を備え、通常表示モードとは異なるモード時に入力される省電力信号に対応して、前記ガンマ生成回路の最小印加電圧と最大印加電圧以外の複数の階調電圧を生成する抵抗ストリング回路に流れる電流値を可変することを特徴とする液晶表示装置の駆動回路。
【請求項９】
デジタル画像信号に対応した液晶共通電極の電圧を基準として正極の画像信号を前記データ線に供給する正極Ｄ／Ａ変換回路と、負極の画像信号を前記データ線に供給する負極Ｄ／Ａ変換回路と、前記正極の画像信号または負極の画像信号を選択する複数のスイッチとコンデンサで構成した切換回路を備え、第１の期間に前記正極の画像信号を印加したデータ線とコンデンサの一端をスイッチをオンして接続して正極の電荷を蓄積し、前記負極の画像信号を印加したデータ線とコンデンサの他端をスイッチをオンして接続して負極の電荷を蓄積し、第２の期間に前記コンデンサの端子を入れ換えることを特徴とする請求項８に記載の液晶表示装置の駆動回路。
【請求項１０】
前記コンデンサの端子の入れ換えは、通常表示モードとは異なるモード時に入力される省電力信号に対応して、Ｖライン反転駆動時には１フレームごとに、ｎドット反転駆動時にはｎ走査ラインごとに行うことを特徴とする請求項９に記載の液晶表示装置の駆動回路。
【請求項１１】
前記省電力信号は、携帯電話機等の携帯型電子機器のＣＰＵから入力されることを特徴とする請求項８ないし１０のいずれかに記載の液晶表示装置の駆動回路。
【発明の詳細な説明】
【技術分野】
【０００１】
本発明は液晶表示装置に関し、特に、アクティブマトリクス型液晶表示装置の低消費電力化を図った技術に関する。
【背景技術】
【０００２】
液晶表示装置は、低消費電力、軽量、薄型で携帯電話機など様々な電子機器の表示装置に採用されている。液晶表示装置には、単純マトリクス型と画素にＴＦＴ（Thin Film Transistor）などのアクティブ素子を用いたアクティブマトリクス型(AMLCD; Active Matrix Liquid Crystal Display) などがある。このアクティブマトリクス型液晶表示装置の駆動方法として、フレーム反転駆動、Ｈライン反転（ライン反転）駆動、Ｖライン反転（カラム反転）駆動、ドット反転駆動が知られている。これらのうち、フレーム反転駆動はフリッカが見え易いという問題があり、またＶライン反転駆動はフリッカが見えにくいが縦縞が見え易いという問題があるため、これらの駆動方式が通常使用されることはない。そのため、小型の液晶表示装置では、フリッカが見えにくいＨライン反転駆動を使用し、大型の液晶表示装置では、フリッカがほとんど発生しないドット反転駆動を使用している。
【０００３】
一方、このドット反転駆動は、クロストーク、フリッカなどに優れるが消費電力が大きいという問題がある。このような消費電力を抑制するために、特許文献１によれば、入力画像信号の動きを検出する動き検出手段を設け、この動き検出手段の出力に適応して駆動周波数、駆動方式、バックライト点灯方式のうち少なくとも１つを可変する技術が提案されている。特許文献１では、駆動周波数を高めた場合、動画表示における課題である動きぼけを解消する効果がある反面、静止画表示において消費電力が増大し、バックライト点灯方式を間欠発光とした場合、動画表示における動きぼけを解消する効果がある反面、静止画表示においてフリッカが増大するとの記載がある。特許文献１では、静止画では駆動周波数を同期信号に準じてドット反転駆動し、動画では駆動周波数を同期信号より高めてＶライン反転駆動することが提案されている。これにより静止画像ではクロストーク及びフリッカの抑制を優先する制御を行い、動画では消費電力の削減を優先した制御を行うことになる。また、静止画像ではバックライトを連続点灯とし、動画のときには間欠点灯とすることが提案されており、これにより静止画像ではフリッカの抑制を優先する制御を行い、動画では動きぼけの改善を優先する制御を行うことになる。
【特許文献１】特開２００２−９１４００号公報
【発明の開示】
【発明が解決しようとする課題】
【０００４】
ところで、透過型の液晶表示装置では太陽光などバックライトより明るい環境下では表示画面は暗くなってしまい、反射型の液晶表示装置では暗所で使用すると表示画面が暗くなってしまうため、携帯型電子機器の表示装置には、透過も反射もできる半透過型の液晶表示装置が使用されることが多い。このような半透過型の液晶表示装置では、特許文献１のようにＶライン反転駆動してバックライトを間欠発光してフリッカを抑制しようとしても太陽光下ではフリッカが見えてしまう。
【０００５】
また、携帯電話器など携帯型電子機器の表示装置では、消費電力を低減することが重要で、特に待機画面の消費電力を低減する技術が望まれるが、特許文献１の技術は静止画像と動画とを検出して駆動周波数、駆動方式、バックライト点灯方式を制御するのみであるため、静止画像の状態が多い待機画面での消費電力の低減に対しては有効ではない。特に、待機画面は表示装置の一部のみを表示に使用するパーシャル表示を行うことが多いが、特許文献１ではこのようなパーシャル表示について考慮されていないため、消費電力を低減する上では必ずしも有効ではない。
【０００６】
本発明の目的は、液晶表示装置の消費電力を低減し、特に携帯型電子機器の表示装置における待機画面での消費電力の低減を可能にした液晶表示装置及びその駆動回路を提供することである。
【課題を解決するための手段】
【０００７】
本発明は、複数の走査線と複数のデータ線の各交点に画素を配置した液晶表示装置であって、通常表示モードとは異なるモード時に入力される省電力信号に対応して駆動方式または駆動周波数の少なくとも１つを変えることを特徴とする。具体的には、省電力信号は２値モードの信号であり、この２値モードではｎビットのデジタル画像信号の最上位ビットに対応した２値の電圧から１つの電圧を選択して第１の駆動方式でデータ線を駆動し、通常表示モードではｎビットのデジタル画像信号の全ビットに対応した２のｎ乗値の電圧から１つの電圧を選択して第２の駆動方式でデータ線を駆動する。あるいは、省電力信号はパーシャルモードの信号であり、このパーシャルモードでは、パーシャル非表示領域では画像オフ電圧で第１の駆動方式でデータ線を駆動し、パーシャル表示領域では２値モードのときには第１の駆動方式でデータ線を駆動し、２値モードではないときにはデジタル画像信号のｎビットに対応した２のｎ乗値の電圧から１つの電圧を選択して第２の駆動方式でデータ線を駆動する。
【０００８】
ここで、第１の駆動方式はＶライン反転駆動方式で、第２の駆動方式はドット反転駆動方式とする。この場合に、第１の駆動方式のフレーム周波数を第２の駆動方式のフレーム周波数よりも低く設定するようにしてもよい。あるいは、第１の駆動方式はフレーム反転駆動方式で、第２の駆動方式はＨライン反転駆動方式とする。
【０００９】
本発明は複数の走査線と複数のデータ線の各交点に画素を配置した液晶表示装置の駆動回路であって、最小印加電圧と最大印加電圧との間をガンマ特性に適合するように分圧して複数の階調電圧を生成するガンマ生成回路を少なくとも備え、通常表示モードとは異なるモード時に入力される省電力信号に対応して、ガンマ生成回路の最小印加電圧と最大印加電圧以外の複数の階調電圧を生成する抵抗ストリング回路に流れる電流値を可変することを特徴とする。例えば、デジタル画像信号に対応した液晶共通電極の電圧を基準として正極の画像信号を前記データ線に供給する正極Ｄ／Ａ変換回路と、負極の画像信号を前記データ線に供給する負極Ｄ／Ａ変換回路と、前記正極の画像信号または負極の画像信号を選択する複数のスイッチとコンデンサで構成した切換回路を備え、第１の期間に前記正極の画像信号を印加したデータ線とコンデンサの一端をスイッチをオンして接続して正極の電荷を蓄積し、前記負極の画像信号を印加したデータ線とコンデンサの他端をスイッチをオンして接続して負極の電荷を蓄積し、第２の期間に前記コンデンサの端子を入れ換える構成とする。コンデンサの端子の入れ換えは、通常表示モードとは異なるモード時に入力される省電力信号に対応して、Ｖライン反転駆動時には１フレームごとに、ｎドット反転駆動時にはｎ走査ラインごとに行う構成とする。
【発明の効果】
【００１０】
本発明によれば、通常表示モードではドット反転駆動するが、省電力信号が入力されるモードである２値モードやパーシャルモードではＶライン反転駆動することで、消費電力を低減することができる。Ｖライン反転駆動は縦縞やフリッカの点で不利であるが、２値モードでは飽和領域を利用するため縦縞やフリッカはほとんど発生しない。これにより、待機画面での表示の消費電力を大幅に低減することができる。
【実施例１】
【００１１】
次に、本発明の実施例１を図面を参照して説明する。図１は、本発明の液晶表示装置１の実施例１のブロック図である。液晶表示装置１は、複数の走査線と複数のデータ線の各交点に、図には表れない多数の画素を配置した液晶パネル２と、前記走査線を駆動するための走査線駆動回路４と、前記データ線を駆動するためのデータ線駆動回路５と、これら走査線駆動回路４とデータ線駆動回路５を制御するための表示制御回路３とを備えている。また、図には表れないがが液晶表示装置１には電源回路などを含んでいる。前記表示制御回路３には、携帯電話機のような携帯型電子機器のＣＰＵ６から入力される画像信号を含む制御信号が入力され、この制御信号に基づいて前記液晶パネルに画像を表示する。また、前記制御信号には後述するように省電力信号が含まれており、この省電力信号に対応して前記走査線駆動回路４とデータ線駆動回路５での駆動方式又は駆動周波数の少なくとも１つを制御するように構成されている。
【００１２】
ここで実施例１では前記液晶表示装置１を携帯電話機の表示装置に適用しているものとする。携帯電話機では、通話はしてないが電波は受信している待機状態があり、この待機状態のときには省電力化のために、第１段階では所定時間キー操作をしないとバックライトが暗くなり、第２段階ではバックライトが消灯し、第３段階では表示画面が時刻表示などの待機画面に切り替わる。そして、実施例１ではこの待機状態のときの省電力化を図るために、前記ＣＰＵ６からは通常表示モードで６４階調表示していたのを２階調まで減色する２値モードにする信号を出力し、この信号を本発明における「省電力信号」として前記表示制御回路３に入力する。
【００１３】
図２は実施例１の液晶表示装置の駆動方式を制御するフローチャート（Ｓ１００）であり、ＣＰＵ６からの制御信号を入力すると（Ｓ１０１）、当該制御信号を判定し（Ｓ１０２）、判定の結果制御信号が２値モード、すなわち省電力信号ではない通常表示モードではドット反転駆動を行い（Ｓ１０３）、当該制御信号が省電力信号のときの２値モードではＶライン反転駆動（カラム反転駆動ともいう）を行う（Ｓ１０４）。
【００１４】
ここで、ドット反転駆動は、図３（ａ）に示すような隣り合う画素の極性が互いに異なるように駆動する方式であり、１走査ラインごとに極性を反転するのを１ドット反転駆動、２走査ラインごとに極性を反転するのを２ドット反転駆動、ｎ走査ラインごとに極性を反転するのをｎドット反転駆動というが、ここでｎは表示装置の全走査線の本数をｍ本として１から（ｍ／２）までの数とする。また、Ｖライン反転駆動はｍ本の走査ラインの期間で極性が反転しない駆動で、図３（ｂ）に示すような水平方向に対して隣り合う画素の極性が異なるように駆動する方式である。
【００１５】
省電力信号による２値モードでは、図４に示す液晶透過率−電圧特性（以下Ｖ−Ｔ特性と呼び）の飽和領域を使用してデジタル画像信号の最上位ビットが０であれば黒表示、１であれば白表示する。これは無印加時は透過率が最大となり、最大電圧印加時は透過率が最低となるノーマリホワイト液晶の場合である。また、デジタル画像信号が６ビットの６４階調表示の例を示しているが、デジタル画像信号は５ビット以下でも、７ビット以上でもよい。
【００１６】
図５は前記データ線駆動回路５の一部の回路図である。正極性ガンマ生成回路１４及びこれにつながる正極性Ｄ／Ａ（デジタル／アナログ）変換回路１１と、負極性ガンマ生成回路１５及びこれにつながる負極性Ｄ／Ａ変換回路１２と、これら正極性Ｄ／Ａ変換回路１１と負極性Ｄ／Ａ変換回路１２から出力される信号を選択してデータ線Ｙ１，Ｙ２，…を駆動する切換回路１３を備えている。また、この切換回路１３には電荷回収回路１０が設けられている。
【００１７】
図６は前記正極性Ｄ／Ａ変換回路１１と負極性Ｄ／Ａ変換回路１２の基本構成を示す回路図である。６４値（Ｖ０〜Ｖ６３）の電圧のうちから１つの電圧をデジタル画像信号に対応してセレクタ１６で選択し、第１駆動期間にスイッチ１８をオン、スイッチ１９をオフして増幅器１７で高速に所定の電圧までデータ線を駆動する。第２駆動期間にスイッチ１８をオフ、スイッチ１９をオンしてセレクタ１６で選択した電圧を直接データ線に印加している。この第２駆動期間では、増幅器１７のバイアス電流を遮断して消費電力を低減している。
【００１８】
ここで、Ｖライン反転駆動の欠点である縦縞の原因は、データ線駆動回路の出力電圧ばらつきにより生じるものと、画素のリーク電流により生じるものがあり、データ線駆動回路５の出力電圧ばらつきは増幅器１７のオフセット電圧ばらつきが原因であるので、セレクタ１６で選択した電圧を増幅器１７で高速に駆動した後に直接にデータ線に印加することで出力電圧ばらつきはキャンセルされるため画質は向上する。なお、液晶表示装置の画素数が少ない時は増幅器１７とスイッチ１８，１９を削除して、直接セレクタ１６で選択した電圧でデータ線を駆動してもよい。
【００１９】
一方、ドット反転駆動を可能にするＤ／Ａ変換回路では、デジタル画像信号と極性信号に応じて正極および負極の画像信号を選択してデータ線を駆動するため、前述のように正極Ｄ／Ａ変換回路１１と負極Ｄ／Ａ変換回路１２を設け、切換回路１３で正極または負極の信号を選択してデータ線を駆動している。前記切換回路１３は奇数番目と偶数番目のデータ線を対にしてそれぞれ個別に切り換え動作されるスイッチ４１，４２，４３，４４を備える。また、ドット反転駆動は消費電力が大きいために、切換回路１３に省電力化のために電荷回収回路１０を設けている。
【００２０】
図５に前記電荷回収回路１０を示しているように、第１のコンデンサ４７と第２のコンデンサ４８とスイッチ４５，４６の対を備えており、奇数番目のデータ線と偶数番目のデータ線とをショートするか、または奇数番目のデータ線同士をショートして第１のコンデンサに接続し、偶数番目のデータ線同士をショートして第２のコンデンサに接続し、その後、第１のコンデンサと第２のコンデンサの接続を入れ換えることで消費電力を低減する。
【００２１】
図７はタイミングチャートを示し、図８は切換回路１３のスイッチ４１〜４６の切り換え状態の模式図を示す。図７において、Ｈｓｙｎｃは水平同期信号、ＰＯＬは極性信号、ＳＷ＊＊はＤ／Ａ変換回路１１，１２及び切換回路１３の各スイッチ＊＊のオン、オフ状態を示している。
【００２２】
図７に示すａ期間は、極性信号ＰＯＬがＨレベルで、図８（ａ）に示すようにスイッチ４１をオンし、その他のスイッチ４２，４３，４４，４５，４６はオフして奇数番目のデータ線を正極信号、偶数番目のデータ線を負極信号で駆動する。
【００２３】
図７に示すｂ期間は、極性信号ＰＯＬがＬレベルで、図８（ｂ）に示すようにスイッチ４２をオンし、その他のスイッチ４１，４３，４４，４５，４６はオフして奇数番目のデータ線を負極信号、偶数番目のデータ線を正極信号で駆動する。
【００２４】
図７に示すｃ期間は、図８（ｃ）に示すようにスイッチ４３，４４，４５をオンし、その他のスイッチ４１，４２，４６はオフして、奇数番目のデータ線をすべてショートし各奇数番目データ線の電圧とコンデンサ４８の電圧を平均化してプラス電荷を蓄積、偶数番目のデータ線をすべてショートし各偶数番目データ線の電圧とコンデンサ４７の電圧を平均化してマイナス電荷を蓄積する。
【００２５】
図７に示すｄ期間は、図８（ｄ）に示すようにスイッチ４３，４４，４６をオンし、その他のスイッチ４１，４２，４５はオフして、コンデンサ４８に蓄積されたプラス電荷を１走査ライン前に負極だった偶数番目のデータ線に供給し、コンデンサ４７に蓄積されたマイナス電荷を１走査ライン前に正極だった奇数番目のデータ線に供給することで電荷の移動を行う。
【００２６】
図７に示すｅ期間は、図８（ｄ）に示すようにスイッチ４３，４４，４６をオンし、その他のスイッチ４１，４２，４５はオフして、奇数番目のデータ線をすべてショートし各奇数番目データ線の電圧とコンデンサ４７の電圧を平均化してマイナス電荷を蓄積、偶数番目のデータ線をすべてショートし各偶数番目データ線の電圧とコンデンサ４８の電圧を平均化してプラス電荷を蓄積する。
【００２７】
図７に示すｆ期間は、図８（ｃ）に示すようにスイッチ４３，４４，４５をオンし、その他のスイッチ４１，４２，４６はオフして、コンデンサ４８に蓄積されたプラス電荷を１走査ライン前に負極だった奇数番目のデータ線に供給し、コンデンサ４７に蓄積されたマイナス電荷を１走査ライン前に正極だった偶数番目のデータ線に供給することで、電荷の移動を行う。
【００２８】
以上の電荷回収は、ドット反転駆動では１走査ラインごとに行い、Ｖライン反転駆動では１フレームごとに行う。
【００２９】
前記正極ガンマ生成回路１４は予めガンマ特性に対応した正極の複数の階調電圧を生成し、前記負極ガンマ生成回路１５は予めガンマ特性に対応した負極の複数の階調電圧を生成する。図９（ａ）に正極ガンマ生成回路１４の詳細図を示し、図９（ｂ）に負極ガンマ生成回路１５の詳細図を示す。正極ガンマ生成回路１４は、正極の黒レベルの電圧値（ＶＰ０）を設定するＤ／Ａ変換回路からなるＰＨｘレジスタ２１と正極の白レベルの電圧値（ＶＰ６３）を設定するＤ／Ａ変換回路からなるＰＬｘレジスタ２２を備え、負極ガンマ生成回路１５は、負極の黒レベルの電圧値（ＶＮ０）を設定するＤ／Ａ変換回路からなるＮＬｘレジスタ３１と負極の白レベルの電圧値（ＶＮ６３）を設定するＤ／Ａ変換回路からなるＮＨｘレジスタ３３とを備えており、これらのレジスタ調整することでコントラストなどを調整している。また、予めガンマ特性に適合するように複数の抵抗を直列接続した抵抗ストリング回路２６，３６でその他の階調電圧を生成する。
【００３０】
ここで、実施例１ではガンマ特性を微調整できるようにスイッチ２４，３４，２５，３５で選択的に接続される抵抗ストリング回路２７，３７，２８，３８およびＤ／Ａ変換回路２３，３３を設けている。そして、通常表示モードのドット反転駆動では、スイッチ２４，２５，３４，３５をオンして正極および負極の６４値ずつの階調電圧を生成し、２値モードでは、スイッチ２４，２５，３４，３５をオフして抵抗ストリング回路２７，３７，２８，３８に流れる電流を遮断し消費電力を低減している。
【００３１】
通常表示モードのドット反転駆動では、１走査ラインごとに極性を反転して駆動するので消費電力が大きくなってしまうが、２値モードのＶライン反転駆動は、ドット反転駆動に比べ消費電力が少ない。Ｖライン反転駆動は、図４に示した線形領域（中間調領域）では縦縞やフリッカの点で不利であるが、飽和領域では縦縞やフリッカはほとんど発生しない。これは、縦縞やフリッカは画素に蓄積される電圧が変動することで生じるが、飽和領域では電圧変動しても透過率に対してほとんど影響しないので縦縞やフリッカは見えないのである。特に白レベルであればコモン電極との差が少なく、リーク電流値も少ないので縦縞やフリッカは見えない。
【００３２】
以上のようにして、通常表示モードではドット反転駆動するが、２値モードではＶライン反転駆動して消費電力を大幅に低減することができる。さらに、２値モードでは通常表示モードに比べフレーム周波数を低くしてもよい。例えば、図１０の駆動方式・周波数決定フローチャート（Ｓ２００）に示すように、制御信号が入力されると（Ｓ２０１）、制御信号を判定し（Ｓ２０２）、２値モード、すなわち省電力信号ではない通常表示モードではドット判定駆動するとともにフレーム周波数を３０Ｈｚとし（Ｓ２０３）、２値モードではＶライン反転駆動するとともにフレーム周波数を１５Ｈｚとする（Ｓ２０４）。フレーム周波数を低くするとフリッカがでやすいことが知られているが、飽和領域の電圧で駆動することでフリッカは見えないのでフレーム周波数を低くしても問題はない。いうまでもないが２値モードと通常表示モードでフレーム周波数が同じであってもよい。ここで、クロック信号は、液晶表示装置の外部から入力する時もあれば、液晶表示装置内部に発振回路を設けてＣＰＵの信号とは非同期に信号を生成してもよく、分周回路などで周波数を低くする。
【実施例２】
【００３３】
実施例２は、待機画面で省電力化する駆動方法として、図１１に示すような特定の部分領域は表示を行い、その他の領域では非表示にする部分表示モード（以下、パーシャルモードと称する）を行う実施例である。ここではＧ００１〜Ｂ１８１の領域と、Ｇ２０４〜Ｇ３２０の領域は待機画面で表示を行わず、領域Ｇ１８１〜Ｇ２０４の間の領域のみを待機画面でパーシャル表示を行う例を示している。
【００３４】
図１２に実施例２の駆動方式決定フローチャート（Ｓ３００）を示す。制御信号を入力した上で（Ｓ３０１）、この制御信号を判定し（Ｓ３０２）、パーシャルモードであれば２値モードが否かを判定する（Ｓ３０３）。パーシャル表示領域については、６４階調モードであればドット反転駆動し（Ｓ３０４）、２値モードであればＶライン反転駆動する（Ｓ３０５）。さらに、いずれのモードの場合でも、パーシャル非表示領域についてはＶライン反転駆動で、走査線駆動を飛び越し走査してフレーム周波数を低くすることで消費電力を低減できる（Ｓ３０４，Ｓ３０５）。例えば、表示領域はフレーム周波数を３０Ｈｚで行い、非表示領域は４フレームに１回だけ走査し７．５Ｈｚで行う。
【００３５】
一方、ステップＳ３０２の判定において、パーシャルモードでない場合には、実施例１と同様に２値モードであるか否かを判定し（Ｓ３０６）、通常表示モードの場合にはドット反転駆動を行い（Ｓ３０７）、２値モードの場合にはＶライン反転駆動を行う（Ｓ３０８）。いずれの場合でもフレーム周波数を３０Ｈｚで行う。
【００３６】
図１３にパーシャルモードの走査線駆動のタイミングチャートを示す。Ｇ１８１〜Ｇ２０４がパーシャル表示領域なので順次走査するが、Ｇ００１〜Ｇ１８０，Ｇ２０５〜Ｇ３２０は飛び越し走査を行う。飛び越し走査は、走査線駆動回路の出力制御信号ＯＥで制御し、ＯＥ信号をＨレベルにすればオフ電圧、Ｌレベルならオン電圧を出力する。そのため、図１３のタイミングチャートに示すように非表示領域は４フレームで１フレームだけ走査する。
【００３７】
ここで、消費電力を低減するにはパーシャル非表示領域では、液晶の共通電極電位とほぼ同一の電圧を印加するのが好ましい。パーシャル非表示領域では、図６に示した液晶のＶ−Ｔ特性の飽和領域の無印加電圧でデータ線および画素を駆動する。ノーマリホワイト液晶ではパーシャル非表示領域は白表示となる。また、パーシャル非表示領域を白以外の色にすることも可能で、ドット反転駆動では、１走査ラインごとに極性を変えるため、最大印加電圧で駆動するとデータ線や画素の寄生容量の充放電電力が大きくなるが、Ｖライン反転では、最大印加電圧でも白ラスタ表示などでは画素信号は変化しないので画素の充放電電力はあるが、データ線の充放電電力はないため消費電力は低減できるため、非表示領域を白以外の７色（黒、赤、緑、青、シアン、マゼンダ、イエロー）にしてもよい。
【実施例３】
【００３８】
最近の携帯電話機は通話の用途のみでなく、カメラ機能やＴＶ電話など様々な機能を備えるが、カメラの撮影時、ＴＶ受信、ＴＶ電話、ゲームなどは動画像を供給し、その他は静止画像を供給することが多い。このように動画であるか静止画であるかは携帯電話の使用者がメニュー画面やボタン操作など選択することで設定できるので、特許文献１のように画像の変化を判断するまでもなく、動画時にはＣＰＵ６から表示制御回路３に動画モード信号を供給し、この動画モード信号により消費電力の低減を図ることが可能になる。
【００３９】
実施例３はこの動画と静止画像とを認識して消費電力を低減したものであり、図１４に駆動方式・周波数決定フローチャート（Ｓ４００）を示す。まず、制御信号が入力されると（Ｓ４０１）、動画モード信号か静止画モード信号かを判定する（Ｓ４０２）。動画モード信号が供給されれば、ドット反転駆動でフレーム周波数を６０Ｈｚまで高め、輪郭ぼけなど残像が出なくなるように、表示フレームを表示フレームの間に黒表示フレームを挿入する（Ｓ４０３）。動画モード信号が供給されなければ静止画モードとなる。この場合には、実施例１，２と同様にＣＰＵ６からの制御信号が省電力信号、すなわち２値モードか否かを判定し（Ｓ４０４）、２値モード信号が供給されれば、Ｖライン反転駆動でフレーム周波数３０Ｈｚとし（Ｓ４０５）、２値モードでもなければ通常表示モードで、ドット反転駆動でフレーム周波数３０Ｈｚとする（Ｓ４０６）。したがって、静止画像で２値モードのときにＶライン反転駆動を行い、省電力化が実現できる。
【００４０】
ここで、  動画モードでは、インターレース駆動してもよく、最初に走査線の偶数番目を、次に奇数番目を処理する。１回のスキャンで作られた画面をフィールドと呼び、フィールド２枚で１つの画面（フレーム）を構成する。ＴＶで使われているＮＴＳＣでは１秒間に30枚の画面フレームを表示するので、６０フィールド／秒である。
【実施例４】
【００４１】
以上の実施例１〜３では、ＣＰＵからの省電力信号に対応してドット反転駆動とＶライン反転駆動を切り換えているが、ドット反転駆動をＨライン反転駆動、Ｖライン反転駆動をフレーム反転駆動に置き換え、省電力信号や動画モード信号に対応してＨライン反転駆動とフレーム反転駆動で切り換えてもよい。図１５（ａ）はフレーム反転駆動、図１５（ｂ）はＨライン反転駆動を説明する図である。フレーム反転駆動は、フレーム毎に画素の極性が互いに異なるように駆動する方式である。また、Ｈライン反転駆動は、垂直方向に対して隣り合う画素の極性が異なるように駆動する方式である。
【図面の簡単な説明】
【００４２】
【図１】本発明の液晶表示装置のブロック図である。
【図２】実施例１の駆動方式を兄弟するフローチャートである。
【図３】液晶表示装置のドット反転駆動時とＶライン反転駆動時のそれぞれにおける画素の極性を示す図である。
【図４】液晶の透過率−電圧特性の図である。
【図５】データ線駆動回路の回路図である。
【図６】データ線駆動回路のＤ／Ａ変換回路の図である。
【図７】データ線駆動回路のタイミングチャートである。
【図８】データ線駆動回路の画像信号出力の切換回路の動作図である。
【図９】正極ガンマ生成回路と負極ガンマ生成回路の詳細図である。
【図１０】本発明の２値モードにおける駆動方式と駆動周波数のフローチャートである。
【図１１】液晶表示装置のパーシャルモードの表示画面図である。
【図１２】本発明のパーシャルモードにおける駆動方式と駆動周波数のフローチャートである。
【図１３】本発明のパーシャルモードのタイミングチャートである。
【図１４】本発明の静止画および動画モードにおけるフローチャートである。
【図１５】液晶表示装置のフレーム反転駆動時とＨライン反転駆動時の画素の極性を示す図である。
【符号の説明】
【００４３】
１  液晶表示装置
２  液晶パネル
３  表示制御回路
４  走査線駆動回路
５  データ線駆動回路
６  ＣＰＵ
１０  電荷回収回路
１１  正極性Ｄ／Ａ変換回路
１２  負極性Ｄ／Ａ変換回路
１３  切換回路
１４  正極性ガンマ生成回路
１５  負極性ガンマ生成回路
１６  セレクタ
１７  増幅器
１８，１９  スイッチ
２１  ＰＨｘレジスタ
２２  ＰＬｘレジスタ
２４，２５  スイッチ
２６，２７，２８  抵抗ストリング回路
３２  ＮＨｘレジスタ
３３  ＮＬｘレジスタ
３４，３５  スイッチ
３６，３７，３８  抵抗ストリング回路
４１〜４６  スイッチ
４７，４８  コンデンサ
【図１】
2006039337.tif 000003
【図２】
2006039337.tif 000004
【図３】
2006039337.tif 000005
【図４】
2006039337.tif 000006
【図５】
2006039337.tif 000007
【図６】
2006039337.tif 000008
【図７】
2006039337.tif 000009
【図８】
2006039337.tif 000010
【図９】
2006039337.tif 000011
【図１０】
2006039337.tif 000012
【図１１】
2006039337.tif 000013
【図１２】
2006039337.tif 000014
【図１３】
2006039337.tif 000015
【図１４】
2006039337.tif 000016
【図１５】
2006039337.tif 000017